(57)【要約】【課題】製造コストを抑えつつ、複数種類の竪樋に対応でき、容易に建物の外壁に取り付けることができる取付具を提供する。【解決手段】建物の外壁８に固着される被固着体９を備える。被固着体９に着脱自在に取り付けられ、竪樋継手５が取り付けられる取付体１０を備える。取付体１０を種類の異なる竪樋継手５に対応して複数種類備える。【選択図】図１
2012197637.tif 000002
【特許請求の範囲】
【請求項１】
建物の外壁に固着される被固着体と、この被固着体に着脱自在に取り付けられ、竪樋継手が取り付けられる取付体を備え、前記取付体を種類の異なる竪樋継手に対応して複数種類備えたことを特徴とする取付具。
【請求項２】
前記竪樋継手が上下方向に所定の範囲内でスライド可能に取り付けられる前記取付体を備え、この取付体が前記被固着体に対して上下位置調節可能に取り付けられることを特徴とする請求項１に記載の取付具。
【請求項３】
前記複数種類の取付体は竪樋継手の建物側となる後面側に着脱自在に取り付けられるものであり、前記被固着体に上下位置調節可能に取り付けられる取付体は、前後に貫通して上下に長い長孔を有し、この取付体の前面における前記長孔の側縁部に上下方向に複数の被係止部が形成され、前記被固着体に前記長孔に配置されて前記長孔の長手方向にスライド可能な取付部が形成され、この取付部に前記取付体が左右方向に回動自在に取り付けられ、前記取付部に前記複数の被係止部のうちの任意の被係止部が係止されて取付体の上下方向の移動を規制する係止部が形成され、前記被固着体に取り付けられた取付体を左右方向に９０度回動したときに、前記被係止部と係止部の係止が解除されることを特徴とする請求項２に記載の取付具。
【発明の詳細な説明】
【技術分野】
【０００１】
本発明は竪樋を建物の外壁に固定するために用いられる取付具に関する。
【背景技術】
【０００２】
例えば特許文献１には、竪樋を建物の外壁に固定するための取付具として、竪樋継手を保持する支持具と、支持具にカシメ部を介して固着結合された取付杆体を備えた取付具が開示されている。この竪樋取付具は、取付杆体が打ち込み等により建物外壁に取り付けられ、このように建物外壁に取り付けられた竪樋取付具の支持具により竪樋継手を保持することで、竪樋が外壁に対して固定される。
【０００３】
ところで、特許文献１の取付具の支持具は丸型竪樋用の竪樋継手に取り付けられるものであって、該竪樋継手に対応する形状を有している。このため、角型等、他の種類の竪樋を連結する竪樋継手に取り付けることができず、他の竪樋継手を建物外壁に固定するには、当該竪樋継手の形状に合った他の取付具が必要となる。従って、取付具は異なる種類の竪樋継手毎に製造する必要があり、多数種必要になって製造コストが増す要因になる。また、取付杆体を建物外壁に固着する際には取付杆体に一体的に設けられた支持具が邪魔になるため、取付具を建物外壁に取り付ける作業がし難くなる場合がある。
【先行技術文献】
【特許文献】
【０００４】
【特許文献１】特開２００３−９６９９７号公報
【発明の概要】
【発明が解決しようとする課題】
【０００５】
本発明は上記事情に鑑みてなされたものであって、製造コストを抑えつつ、複数種類の竪樋に対応でき、容易に建物の外壁に取り付けることができる取付具を提供することを課題とする。
【課題を解決するための手段】
【０００６】
上記課題を解決するために本発明の取付具は、建物の外壁に固着される被固着体と、この被固着体に着脱自在に取り付けられ、竪樋継手が取り付けられる取付体を備え、前記取付体を種類の異なる竪樋継手に対応して複数種類備えたことを特徴とする。
【０００７】
また、前記竪樋継手が上下方向に所定の範囲内でスライド可能に取り付けられる前記取付体を備え、この取付体が前記被固着体に対して上下位置調節可能に取り付けられることが好ましい。
【０００８】
また、前記複数種類の取付体は竪樋継手の建物側となる後面側に着脱自在に取り付けられるものであり、前記被固着体に上下位置調節可能に取り付けられる取付体は、前後に貫通して上下に長い長孔を有し、この取付体の前面における前記長孔の側縁部に上下方向に複数の被係止部が形成され、前記被固着体に前記長孔に配置されて前記長孔の長手方向にスライド可能な取付部が形成され、この取付部に前記取付体が左右方向に回動自在に取り付けられ、前記取付部に前記複数の被係止部のうちの任意の被係止部が係止されて取付体の上下方向の移動を規制する係止部が形成され、前記被固着体に取り付けられた取付体を左右方向に９０度回動したときに、前記被係止部と係止部の係止が解除されることが好ましい。
【発明の効果】
【０００９】
本発明にあっては、製造コストを抑えつつ、複数種類の竪樋に対応でき、容易に建物の外壁に取り付けることができる。
【図面の簡単な説明】
【００１０】
【図１】実施形態の取付具を用いて丸型竪樋を施工した状態を示す横断面図である。
【図２】図１の側面図である。
【図３】実施形態の丸型竪樋継手を示し、（ａ）は背面図、（ｂ）は平面図、（ｃ）は側面図である。
【図４】実施形態の丸型竪樋取付体を示し、（ａ）は正面図、（ｂ）は平面図、（ｃ）は側面図である。
【図５】図４のＡ−Ａ断面図である。
【図６】実施形態の被固着体を示し、（ａ）は正面図、（ｂ）は平面図、（ｃ）は側面図である。
【図７】図６のＢ部拡大図である。
【図８】実施形態の丸型竪樋取付体と被固着体を示す正面図であり、（ａ）は丸型竪樋取付体を長孔に沿ってスライド可能とした状態を示し、（ｂ）は丸型竪樋取付体の被固着体に対するスライドを規制した状態を示す。
【図９】実施形態の被固着体が竪樋継手に対して上下方向にずれた位置に取り付けられた場合の丸型竪樋の施工状態を示す側面図であり、（ａ）は丸型竪樋取付体の上下位置を調節する前の状態を示し、（ｂ）は丸型竪樋取付体の上下位置を調節した後の状態を示す。
【図１０】実施形態の取付具を用いて角型竪樋を施工した状態を示す横断面図である。
【図１１】図１０の側面図である。
【図１２】実施形態の角型竪樋継手を示し、（ａ）は背面図、（ｂ）は平面図、（ｃ）は側面図である。
【図１３】実施形態の角型竪樋取付体を示し、（ａ）は正面図、（ｂ）は平面図、（ｃ）は側面図である。
【図１４】図１３のＣ−Ｃ断面図である。
【発明を実施するための形態】
【００１１】
以下、本発明の実施形態を添付図面に基づいて説明する。本実施形態の取付具１は、図２や図１１に示されるように、上下に並べて配置される竪樋２同士を連結するための竪樋継手５を建物の外壁８に取り付けることで、竪樋２を外壁８に対して固定するものである。なお、以下の取付具１の説明で用いる方向は、取付具１を外壁８に取り付けた状態を基準にするものであり、取付具１から見て建物側を後方、屋外側を前方として説明する。
【００１２】
図１に示されるように、取付具１は、外壁８に固着される被固着体９と、竪樋継手５の後面側が取り付けられる取付体１０の二部材で構成されている。
【００１３】
取付体１０には、図１に示される丸型竪樋３用の竪樋継手６を取付可能な取付体１１と、図１０に示される角型竪樋４用の竪樋継手７を取付可能な取付体１２の二種類がある。取付体１１，１２のうち一方を選択して被固着体９に着脱自在に取り付けることで、形状の異なる丸型竪樋３及び角型竪樋４のいずれをも外壁８に固定できるようになっている。以下、特に区別する場合には取付体１１を丸型竪樋取付体１１と記載し、取付体１２を角型竪樋取付体１２と記載する。また、竪樋継手６を丸型竪樋継手６と記載し、竪樋継手７を角型竪樋継手７と記載する。
【００１４】
まず、丸型竪樋継手６及び角型竪樋継手７について説明する。なお、丸型竪樋継手６及び角型竪樋継手７は概念上共通する構成を有するため、この構成については同一の名称を用い、同一の符号を付す。
【００１５】
図３に丸型竪樋継手６を示し、図１２に角型竪樋継手７を示す。各竪樋継手５は、対応する竪樋２の断面形状に合致する円筒状又は略角柱状の連結筒部２１を有している。各竪樋継手５の連結筒部２１の上下方向の中間部外周面には、周方向の全長に亘る突条２２が形成されている。
【００１６】
図３に示すように、丸型竪樋継手６の突条２２の連結筒部２１の後面側に位置する後端部には、同部後縁から連結筒部２１の背面に沿う壁部２３が上下に突出している。また、丸型竪樋継手６の壁部２３の左右両側には、後方に突出する被掛止部２４が夫々形成されている。
【００１７】
図１２に示すように、角型竪樋継手７の突条２２の外周縁には、上下に突出する壁部２３が周方向の全長に亘って形成されている。また、角型竪樋継手７の壁部２３の連結筒部２１の後面側に位置する後面部の左右両側には、後方に突出する被掛止部２４が形成されている。
【００１８】
各竪樋継手５で対応する竪樋２を連結するには、連結筒部２１の突条２２よりも上方の部分を上側の竪樋２の下端部内側に嵌め込み、連結筒部２１の突条２２よりも下方の部分を下側の竪樋２の上端部内側に嵌め込む。また、上側の竪樋２の下端部を、突条２２から上方に突出した壁部２３と連結筒部２１の外周面の間に形成された溝に嵌め込み、下側の竪樋２の上端部を、突条２２から下方に突出した壁部２３と連結筒部２１の外周面の間に嵌め込む。これにより、上下の竪樋２が竪樋継手５によって連結される。
【００１９】
次に取付具１について説明する。取付具１の被固着体９は、丸型竪樋３を外壁８に固定する場合、及び角型竪樋４を外壁８に固定する場合のいずれの場合にも同じものが用いられる。
【００２０】
図６に示されるように、被固着体９は、外壁８に固着される固着部１３と、固着部１３の上下方向中間部から前方に突出する突出部１４を有している。
【００２１】
固着部１３は外壁８の屋外側の面に沿うよう縦長板状に形成されている。固着部１３の突出部１４より上方に突出した部分と突出部１４より下方に突出した部分の夫々には、挿通孔１７が形成されている。各挿通孔１７には、固着部１３を外壁８に固着するための釘やビス等の固着具１８（図２参照）を挿通できるようになっている。
【００２２】
突出部１４の先端部には、丸型竪樋取付体１１及び角型竪樋取付体１２を選択的に且つ着脱自在に取付可能な取付部１９が形成されている。図７のように、取付部１９は、突出部１４の前端面中央から前方に突出した短円柱状の軸部１６と、軸部１６を介して突出部１４に接続された挿通部１５で構成されており、挿通部１５の後面は突出部１４の前端面に隙間を介して対向している。
【００２３】
図６（ａ）に示されるように、挿通部１５は左右に長い矩形板状に形成されており、その左右長さは突出部１４の左右幅と略同じである。軸部１６は挿通部１５の後面における左右方向の中央部に接続されており、正面視で挿通部１５よりも大きくなっている。また、図７のように、挿通部１５の後面において軸部１６を挟んだ左右両側部分には、突起からなる係止部２０が夫々形成されている。
【００２４】
次に丸型竪樋取付体１１及び角型竪樋取付体１２について説明する。なお、丸型竪樋取付体１１及び角型竪樋取付体１２は概念上共通する構成を有するため、この構成については同一の名称を用い、同一の符号を付す。
【００２５】
図４及び図５に丸型竪樋継手６が取り付けられる丸型竪樋取付体１１を示し、図１３及び図１４に角型竪樋継手７が取り付けられる角型竪樋取付体１２を示す。
【００２６】
各取付体１０は、被固着体９の突出部１４の前端面に沿う後板部２９と、後板部２９の両側縁の夫々から前側に突出した側板部３０を有している。
【００２７】
後板部２９の左右方向の中央部には上下に長い長孔３１が形成されている。長孔３１の左右幅は、挿通部１５及び軸部１６の夫々の左右幅よりも大きく、且つ、挿通部１５の上下長さよりも小さくなっている。また、後板部２９の前面における長孔３１の両側縁部の夫々には被係止部群３３が形成されている。各被係止部群３３は後板部２９の前面に上下方向に多数並べて形成した断面三角形状の凸部３４からなり、隣接する凸部３４の間に形成された断面三角形状の凹部からなる被係止部３２を上下方向に複数有している。
【００２８】
各取付体１０を被固着体９に取り付けるには、まず図８（ａ）に示すように、取付体１０を長孔３１の長手方向と被固着体９の矩形板状の挿通部１５の長手方向が平行になるよう後述する施工状態よりも左右方向に９０度回動した状態とする。続いて取付体１０の後板部２９に形成された長孔３１に被固着体９の挿通部１５を後方から挿通させ、挿通部１５を後板部２９よりも前方に配置する。次に、取付体１０を長孔３１に配置された軸部１６を中心にして、図８（ｂ）に示すように長孔３１の長手方向と矩形板状の挿通部１５の長手方向が直交するよう左右方向に９０度回動する。これにより、取付体１０の後板部２９の長孔３１を挟んだ両側部分が、図１や図１０に示されるように被固着体９の挿通部１５とこの後方の突出部１４の間に挿入される。そして、この際に、後板部２９の各被係止部群３３の被係止部３２のうち任意の被係止部３２が、被固着体９の対応する係止部２０に係止されて上下方向の移動が規制され、これにより丸型竪樋取付体１１は被固着体９に取り付けられた状態となる。
【００２９】
図４（ｂ）に示されるように、丸型竪樋取付体１１の両側板部３０は前側程外側方に位置するように傾斜しており、図１３（ｂ）に示されるように角型竪樋取付体１２の両側板部３０は後板部２９に対して垂直になっている。
【００３０】
各取付体１０の両側板部３０には、対応する竪樋継手５の被掛止部２４が着脱自在に係止される掛止部３５が形成されている。図４（ｃ）及び図１３（ｃ）に示すように、各掛止部３５は側板部３０を貫通する上下に長いスライド孔３７の側縁部で構成されている。各スライド孔３７には対応する竪樋継手５の被掛止部２４を前方から挿通でき、これにより各竪樋継手５は両被掛止部２４の先端部に形成された爪部３６を対応する掛止部３５に掛止して前後方向の移動が規制されるようになっている。
【００３１】
取付具１を用いた竪樋２の固定は例えば以下のように行われる。まず、取付体１０を取り外した被固着体９の固着部１３を外壁８に沿わせ、この固着部１３の各挿通孔１７に前方から通した釘やビス等の固着具１８を外壁８に固着して、固着部１３を外壁８に取り付ける。
【００３２】
次に被固着体９に竪樋２に対応する取付体１０を取り付ける。すなわち、竪樋２が丸型竪樋３である場合には丸型竪樋取付体１１を、竪樋２が角型竪樋４である場合には角型竪樋取付体１２を前述したように取り付ける。
【００３３】
次に取付具１の取付体１０に上下に対応する竪樋２を連結した竪樋継手５を取り付ける。竪樋継手５を取付体１０に取り付けるには、前述のように、竪樋継手５の両側の被掛止部２４を取付体１０の対応する掛止部３５に掛止する。このようにすると、取付体１０の各側板部３０が、竪樋継手５の上下に位置する竪樋２の後面と対応する被掛止部２４の爪部３６とで前後方向に挟まれて僅かな力では上下に移動しないように保持される。しかして、竪樋継手５及びこの上下に連結された竪樋２が外壁８に固着された取付具１に保持される。
【００３４】
なお、このように取付具１に竪樋継手５を取り付けた状態では、図１や図１０に示されうように取付具１が竪樋継手５及びこの上下に連結された竪樋２の後方に配置される。すなわち、竪樋２によって取付具１の前方が覆われるため、外観が良い。
【００３５】
ここで、上記施工後の竪樋継手５の各被掛止部２４は対応する掛止部３５に掛止された状態のままスライド孔３７を上下にスライドできるようになっている。このため、竪樋継手５に連結された上下の竪樋２が、気温の変化等により伸縮して竪樋継手５の上下位置が変わったとしても、竪樋継手５の各被掛止部２４は対応する掛止部３５に掛止された状態を維持することができる。従って、取付具１から竪樋継手５や竪樋２が外れることを防止できる。
【００３６】
ところで、竪樋継手５は前記竪樋２の伸縮に伴って上方に移動する場合もあれば下方に移動する場合もある。このため、竪樋継手５の各被掛止部２４は、竪樋継手５が上方、下方のいずれに移動した場合にも対応できるようにするため、図２や図１１に示されるように、スライド孔３７の長手方向における中央部に配置するのが良い。従って、取付具１の被固着体９は、被固着体９の取付部１９が施工後の竪樋継手５と同レベルに位置するように外壁８に位置決めして固着するのが好ましい。ところが、このように被固着体９を正確に位置決めして外壁８に取り付けることは難しい。このため、図９（ａ）のように被固着体９が外壁８の竪樋継手５から上下方向にずれた位置に固着された場合、竪樋継手５の各被掛止部２４はスライド孔３７の長手方向における片側に偏った位置に配置されてしまう。しかし、この場合は、図９（ｂ）のように取付体１０の被固着体９に対する上下方向の取付位置を変更することで、竪樋継手５の各被掛止部２４はスライド孔３７の長手方向における中央部に配置することができる。
【００３７】
取付体１０の被固着体９に対する上下方向の取付位置を変更するには、まず前記取付体１０に取り付けた竪樋継手５を上下に連結された竪樋２と共に取付体１０から取り外す。次に図８（ａ）に示すように、取付体１０を、長孔３１に配置された軸部１６を中心にして、長孔３１の長手方向と被固着体９の矩形板状の挿通部１５の長手方向が平行になるよう左右方向に９０度回動する。これにより、被固着体９の各係止部２０と取付体１０の対応する被係止部３２の係止は解除され、被固着体９の軸部１６は取付体１０の長孔３１内を長孔３１の長手方向（左右方向）にスライド可能となる。次に、取付体１０を左右方向に移動して、軸部１６を長孔３１の長手方向における任意の位置まで移動する。そして、この位置で取付体１０を、取付体１０を長孔３１に配置された軸部１６を中心にして、長孔３１の長手方向と矩形板状の挿通部１５の長手方向が直交するように左右方向に９０度回動する。これにより、前記取付体１０を被固着体９に取り付ける場合と同様に、取付体１０の各被係止部群３３の任意の被係止部３２が被固着体９の対応する係止部２０に係止され、この結果、取付体１０の被固着体９に対する上下位置が変更される。
【００３８】
以上説明した本実施形態の取付具１は、外壁８に固着される被固着体９と、被固着体９に着脱自在に取り付けられ、竪樋継手５が取り付けられる取付体１０を備え、取付体１０を種類の異なる竪樋継手５に対応して複数種類備えている。このため、被固着体９に取り付けられる取付体１０を変更するだけで、取付具１を異なる種類の竪樋継手５に取り付けることができる。この場合、被固着体９を共通で用いることができ、取付具１の製造コストを抑えられる。また、被固着体９から取付体１０を取り外せるため、容易に被固着体９を外壁８に固着できる。また、既設の竪樋２に代えて他の種類の竪樋２を施工する場合、既設の取付具１の取付体１０を新たに取り付けられる竪樋継手５に対応する取付体１０と交換するだけで、対応することもできる。
【００３９】
また、本実施形態の各取付体１０は、対応する竪樋継手５が上下方向に所定の範囲内でスライド可能に取り付けられる。このため、竪樋２の伸縮に伴って竪樋継手５の上下位置が変化した場合には、竪樋継手５が取付体１０に対して上下方向にスライドし、前記竪樋継手５の上下位置の変化を吸収することができる。また、本実施形態の各取付体１０は、被固着体９に対して上下位置調節可能に取り付けられる。このため、各取付体１０の被固着体９への上下方向の取付位置を変更することで、各取付体１０を前記竪樋継手５の上下位置の変化に適切に対応できる位置に配置することができる。
【００４０】
また、本実施形態の各取付体１０は竪樋継手５の建物側となる後面側に取り付けられるものであるため、竪樋継手５やこれに連結される竪樋２で取付具１を見え難くすることができ、外観を向上できる。
【００４１】
また、各取付体１０は前後に貫通して上下に長い長孔３１を有し、各取付体１０の前面における長孔３１の側縁部には上下方向に複数の被係止部３２が形成されている。他方、被固着体９には、長孔３１に配置されて長孔３１の長手方向にスライド可能な取付部１９が形成され、取付部１９には取付体１０が左右方向に回動自在に取り付けられている。そして、取付部１９には、複数の被係止部３２のうちの任意の被係止部３２が係止されて取付体１０の上下方向の移動を規制する係止部２０が形成されている。また、被固着体９に取り付けられた取付体１０を左右方向に９０度回動したときには、被係止部３２と係止部２０の係止が解除されるようになっている。
【００４２】
この構成により、取付体１０の被固着体９に対する上下位置を調節することができる。すなわち、被固着体９に取り付けた取付体１０を被固着体９に対して９０度回動し、被係止部３２と係止部２０の係止を解除した場合には、取付部１９が長孔３１に沿ってスライド可能となる。そして、この状態で、取付部１９を長孔３１に沿ってスライドさせ、被固着体９に対する取付体１０の位置を変更し、この後、取付体１０を左右方向に９０度回動することで、複数の被係止部３２のうちの任意の被係止部３２が係止部２０に係止されて取付体１０の上下方向の移動が規制される。しかして、取付体１０の上下位置が調節される。
【００４３】
なお、本実施形態の取付具１は被固着体９に取り付けられる取付体１０として二種類の取付体１０を備えているが、三種類以上の取付体１０を備えたものであってもよく、この場合は三種類以上の竪樋継手５に対応することができる。また、竪樋継手５を取付体１０に対して上下方向にスライド可能に取り付ける手段や、取付体１０を被固着体９に対して上下位置調節可能に取り付ける手段は、本実施形態のものに限定されるものではない。また、本実施形態では長孔３１の両側縁部に被係止部３２を形成したが、長孔３１の片側の縁部にのみ被係止部３２を形成してもよい。また、この他、本発明の主旨を逸脱しない範囲で適宜設計変更可能である
【符号の説明】
【００４４】
１  取付具
５  竪樋継手
６  丸型竪樋継手
７  角型竪樋継手
８  外壁
９  被固着体
１０  取付体
１９  取付部
２０  係止部
３１  長孔
３２  被係止部
【図１】
2012197637.tif 000003
【図２】
2012197637.tif 000004
【図３】
2012197637.tif 000005
【図４】
2012197637.tif 000006
【図５】
2012197637.tif 000007
【図６】
2012197637.tif 000008
【図７】
2012197637.tif 000009
【図８】
2012197637.tif 000010
【図９】
2012197637.tif 000011
【図１０】
2012197637.tif 000012
【図１１】
2012197637.tif 000013
【図１２】
2012197637.tif 000014
【図１３】
2012197637.tif 000015
【図１４】
2012197637.tif 000016